(57)【要約】【課題】　セル構成について、サービス品質の通りに、ＧＰＲＳアプリケーションにとっておくべきチャンネルの数を決定する。【解決手段】テスト用プラットフォーム（３）について、セル・モデル（３０）中のＧＰＲＳトラフィックの量や、割当時間（ＴＳ）に関連して測定（１１）を行い、セル構成（２０）につき一定量のＧＳＭトラフィックとＧＰＲＳデータ転送について、トラフィックシュミレーションシステム（４）によって複数のセッションを生成し、ＧＳＭ呼出着信とＧＰＲＳデータ転送とを形成し、品質パラメータを考慮しＧＰＲＳ性能のレベル（２２，２３）を計算し、セル・モデル（３０）のセル構成（２０）を、ＧＰＲＳトラフィック（３００）に有効な割当時間（ＴＳ）かトランシーバー（ＴＲＸ）の追加／削減（２４１，２４２）により、性能レベルが所定の閾値に到達できるように決定する。【選択図】図１
2004120752.tif 000002
【特許請求の範囲】
【請求項１】
　移動通信器無線電話通信網のセル・モデルを含むテスト用プラットフォームと、サービス品質指標、セル構成並びに音声ＧＳＭとＧＰＲＳデータ転送用のトラフィック量を記憶するトラフィックシュミレーションシステムを用いる、ＧＰＲＳトラフィックとＧＰＲＳ＋音声ＧＳＭ混合トラフィックのための無線インターフェイスの基準化方法であり、
　トラフィックシュミレーションシステムは、テスト用プラットフォームで行われる測定で得られたデータをメモリに保存し、このデータは品質パラメータとなるものであり、
　セル構成につき、一定量のＧＳＭトラフィックとＧＰＲＳデータ転送について、前記トラフィックシュミレーションシステムによってセッションが生成されることにより、ＧＳＭ呼び出し着信とＧＰＲＳデータ転送とが形成され、そして、前記の品質パラメータを計算に入れて、そのセル構成について達成されたＧＰＲＳ性能のレベルが計算されるものであり、
　前記セル・モデルのセル構成は、ＧＰＲＳトラフィックに有効な新しい割当時間か、または、トランシーバーの追加や削減により、前記性能レベルが所定の閾値に到達できるような最低限の構成を決定するように修正されることを特徴とする、混合トラフィック用無線インターフェイスの基準化方法。
【請求項２】
　トラフィックシュミレーションシステムは、一定のセル構成について、ＧＳＭ回線呼び出しによって占められる割当時間の数と、同時に行われるＧＰＲＳデータ転送の数と、ＧＰＲＳデータ転送に有効な空いた割当時間の数とを決定することを特徴とする、請求項１に記載の方法。
【請求項３】
　テスト用プラットフォームで行われる測定は、同一のアプリケーションについての単位時間の測定、またはＧＰＲＳ転送速度であり、このアプリケーションのローディングが、前記テスト用プラットホームのコンピューターにおいて同時に開始されることを特徴とする、請求項１または請求項２に記載の方法。
【請求項４】
　前記測定は、テスト用プラットフォームにより、強いフィールド、静止状態、ＧＰＲＳに有効な割当時間、音声ＧＳＭトラフィックがない状態、という条件の下で行われることを特徴とする、請求項１から請求項３のいずれか一つに記載の方法。
【請求項５】
　前記アプリケーションのローディング時間の測定は、各コンピューターで行われ、ＧＰＲＳの割当時間と、同時進行のデータ転送とに関連して、第一マトリックスと呼ばれる転送結果のマトリックスを得るために、ローディング時間はテスト用プラットフォームで取りまとめて処理されることを特徴とする、請求項３または請求項４に記載の方法。
【請求項６】
　前記第一マトリックスのデータが、サービス品質指標と比較され、第二マトリックスと呼ばれるマトリックスを形成することにより、サービスの品質が達成される場合と、達成されない場合とが区別されることを特徴とする、請求項５に記載の方法。
【請求項７】
　トラフィックシュミレーションシステムは、一つのセル構成に対応するＧＰＲＳ性能レベルを計算するために、同時に行われるＧＰＲＳデータ転送との関連で、第三マトリックスと呼ばれる、各区分が時間の割合を示す割当時間占有マトリックスを生成することを特徴とする、請求項６に記載の方法。
【請求項８】
　前記ＧＰＲＳ性能レベルは、サービス品質が達成される場合に対応する第三マトリックスの区分を合計して得られる性能率か、サービス品質が達成されない場合の補足的区分を合計して得られる性能不良率であることを特徴とする、請求項７に記載の方法。
【請求項９】
　前記サービス品質指標は、所定のタイプのアプリケーションについての、セッションごとの目標平均値であるか、または、所定の百分率の範囲内での最低値の基準により規定された百分位数による値であることを特徴とする、請求項１から請求項８のいずれか一つに記載の方法。
【請求項１０】
　ＧＰＲＳトラフィックのラッシュ・アワーにおける平均セッション値の目標値は、そのトラフィックのラッシュ・アワーを外れた時間の目標値を百分率で表したものであることを特徴とする、請求項９に記載の方法。
【請求項１１】
　ＧＰＲＳトラフィックとＧＰＲＳ＋音声ＧＳＭ混合トラフィックのための無線インターフェイスを基準化することを目指すものであり、可変数の、ＧＰＲＳに有効な割当時間について、テスト用プラットフォームかそれに類似のもので行われたＧＰＲＳ転送品質の測定結果を示す記憶されたデータを保存する記憶手段と、少なくとも一つのサービス品質指標を保存する記憶手段と、少なくとも二つのセル構成を保存する記憶手段とＧＳＭトラフィックとＧＰＲＳ転送量とを保存する記憶手段とを有するものであり、そのトラフィックシュミレーションシステムが、このデータを、セッション生成手段とセル構成選択手段とを介して用いて、ＧＳＭ呼び出し着信とＧＰＲＳデータ転送とをシュミレーションし、それにより、選択されたセル構成に得られるレベルのＧＰＲＳ性能のレベルを計算手段を用いて計算することを特徴とする、請求項１から１０のいずれか一つに記載の方法を用いたトラフィックシュミレーションシステム。
【請求項１２】
　前記計算手段が、選択されたセル構成について、ＧＰＲＳデータ転送に有効な割当時間の数と同時に行われるＧＰＲＳデータ転送の数とによって規定される状態に応じて、時間の百分率を決定する手段を含むことを特徴とする、請求項１１に記載のトラフィックシュミレーションシステム。
【請求項１３】
　前記の記憶されたデータが、前記テスト用プラットフォームで行われたＧＰＲＳ転送品質の測定で得られたものであり、分析手段は、該データを計算に入れて前記サービス品質指標に合致しない前記状態の時間的割合を識別し、選択することを特徴とする、請求項１２に記載のトラフィックシュミレーションシステム。
【発明の詳細な説明】
【技術分野】
【０００１】
　本発明はＧＰＲＳ通信網の基準化に関するものであり、更に詳細には、この種のオペレータが管理する通信網でのサービス品質を改善することを目的として、ＧＰＲＳトラフィックとＧＰＲＳ＋音声ＧＳＭ混合トラフィックに合致する混合トラフィック用無線インターフェイスを基準化するための方法に関するものである。
【背景技術】
【０００２】
　電話通信の音声の質を評価する方法とプラットホームが、仏国特許発明第２８１８８５号明細書により知られている。
　このような評価方法を測定プラットホームの使用に適用することにより、実験者間の接続を確立し、音声通話の品質に関するデータを収集することが可能となる。
　これは、分析用のものであり、音声の品質の基準のみに関するものであるためＧＰＲＳ通信網の基準化に用いることはできない。
【０００３】
　ＧＰＲＳによって得られる通信帯域はＧＳＭのものよりも広く、移動通信用のマルチメディアへの応用が可能になる。
　無線資源の利点の最適な活用により、サービス品質と快適な使用感を兼ね備えたものにするために、各ネットワーク・セルに配分するチャンネル数の構成を、当を得たものにする必要がある。
　そのためには、割当時間、あるいは業界で単にスロットと呼ばれるものの数の構成を行う必要がある。
　これには、ネットワークに追加される容量を推測するために、ネットワークのサイズ設定が必要となる。
　このような容量の追加は、トラフィックだけでなく、オペレータが望むある程度のサービス品質を達成することもまた可能にする。
【０００４】
　先行技術によるこのような解決法は、全てのプロトコールの各層ごとに端末相互間で問題が発生するのを考慮に入れたり、あるいは、そのプロパイダーに特有の無線資源のアルゴリズム配分の欠陥を考慮に入れていない。
　今日の方法でも理論上の結果は得られるが、それは現場で観察されるものとは非常に異なる。
　無線資源をＧＰＲＳ通信網の範囲内で配分し、それにより、ＧＰＲＳ通信網の最適な基準化を行う方法を把握する上での改善が必要とされている。
【０００５】
【特許文献１】仏国特許発明第２８１８８５号明細書
【発明の開示】
【発明が解決しようとする課題】
【０００６】
　従って、本発明は、ＧＰＲＳトラフィックとＧＰＲＳ＋音声ＧＳＭ混合トラフィックの無線インターフェイスを基準化する方法を規定することにより、先行技術の一つまたはそれ以上の不都合を取り除き、一定のセル構成について、また、販売部門が指定したサービス品質の通りに、ＧＰＲＳアプリケーションに必要となるチャンネルの数を決定することを目指すものである。
【課題を解決するための手段】
【０００７】
　この目的を目指して、本発明が対象とするＧＰＲＳトラフィックとＧＰＲＳ＋音声ＧＳＭ混合トラフィックのための無線インターフェイスを基準化するための方法は、移動通信器無線電話通信網のセル・モデルを少なくとも一つ含むテスト用プラットフォームと、少なくとも一つのサービス品質指標、少なくとも一つのセル構成並びに音声ＧＳＭとＧＰＲＳデータ転送用のトラフィック量とを記憶するトラフィックシュミレーションシステムを用いるものであり、その特徴は、
・ＧＰＲＳサービス品質を表す測定は、そのテスト用プラットフォームで行われ、これらの測定は前記セル・モデル中のＧＰＲＳトラフィックの様々な量について、また、ＧＰＲＳトラフィックに有効な割当時間の数に関連して行われるものであり、
・前記トラフィックシュミレーションシステムは、そのテスト用プラットフォームで行われる測定を表すデータをメモリに保存し、このデータは品質パラメータとなるものであり、
・少なくとも一つのセル構成につき、そして、一定量のＧＳＭトラフィックとＧＰＲＳデータ転送について、前記トラフィックシュミレーションシステムによって複数のセッションが生成され、それにより、ＧＳＭ呼び出し着信とＧＰＲＳデータ転送とが形成され、そして、前記の品質パラメータを計算に入れて、そのセル構成について達成されたＧＰＲＳ性能のレベルが計算されるものであり、
・二分法により、前記セル・モデル構成は、ＧＰＲＳトラフィックに有効な少なくとも一つの新しい割当時間か、または、一つのトランシーバーの追加／削減により、前記性能レベルが所定の閾値に到達できるような最低限の構成を決定するように修正される。
　すなわち、第１に、移動通信器無線電話通信網のセル・モデル（３０）を少なくとも一つ含むテスト用プラットフォーム（３）と、少なくとも一つのサービス品質指標（５２）、少なくとも一つのセル構成（２０）並びに音声ＧＳＭとＧＰＲＳデータ転送用のトラフィック量（５１）とを記憶するトラフィックシュミレーションシステム（４）を用いる、ＧＰＲＳトラフィックとＧＰＲＳ＋音声ＧＳＭ混合トラフィックのための無線インターフェイスを基準化する方法であり、
　テスト用プラットフォーム（３）について、ＧＰＲＳサービス品質を表すための測定（１１）が行われ、この測定を、セル・モデル（３０）中のＧＰＲＳトラフィックの様々な量について、また、ＧＰＲＳトラフィックに有効な割当時間（ＴＳ）の数に関連して行われるものであり、
　トラフィックシュミレーションシステム（４）は、テスト用プラットフォーム（３）で行われる測定（１１）で得られたデータをメモリに保存し、このデータは品質パラメータとなるものであり、
　少なくとも一つのセル構成（２０）につき、そして、一定量のＧＳＭトラフィックとＧＰＲＳデータ転送（５１）について、前記トラフィックシュミレーションシステム（４）によって複数のセッションが生成され（２１）、それにより、ＧＳＭ呼び出し着信とＧＰＲＳデータ転送とが形成され、そして、前記の品質パラメータを計算に入れて、そのセル構成（２０）について達成されたＧＰＲＳ性能のレベル（２２，２３）が計算されるものであり、
　二分法により、前記セル・モデル（３０）のセル構成（２０）は、ＧＰＲＳトラフィック（３００）に有効な少なくとも一つの新しい割当時間（ＴＳ）か、または、一つのトランシーバー（ＴＲＸ）の追加／削減（２４１，２４２）により、前記性能レベルが所定の閾値に到達できるような最低限の構成を決定するように修正されることを特徴とする、無線インターフェイスの基準化方法。
【０００８】
　本発明のもう一つの特徴により、トラフィックシュミレーションシステムは、一定のセル構成の：
・ＧＳＭ回線呼び出しによって占められる割当時間の数、
・同時に行われるＧＰＲＳデータ転送の数、
・ＧＰＲＳデータ転送に有効な、空いた割当時間の数、
を決定する。
　すなわち、第２に、トラフィックシュミレーションシステム（４）は、一定のセル構成（２０）について、ＧＳＭ回線呼び出しによって占められる割当時間（ＴＳ）の数と、同時に行われるＧＰＲＳデータ転送（３１２）の数と、ＧＰＲＳデータ転送（３００）に有効な空いた割当時間（ＴＳ）の数とを決定することを特徴とする、上記第１に記載の方法。
【０００９】
　更にもう一つの様相により、テスト用プラットフォームで行われる前記測定は、同一のアプリケーションについての時間の単位またはＧＰＲＳ転送速度であり、アプリケーションの前記ローディングは、前記プラットホームの一つまたは複数のコンピューターで同時に開始する。
　すなわち、第３に、テスト用プラットフォーム（３）で行われる測定（１１）は、同一のアプリケーションについての単位時間の測定、またはＧＰＲＳ転送速度であり、このアプリケーションのローディングが、前記テスト用プラットホーム（３）の少なくとも一つのコンピューターにおいて同時に開始されることを特徴とする、上記第１または第２に記載の方法。
【００１０】
　更にもう一つの様相により、前記測定は、テスト用プラットフォームで、
・強いフィールド、そして静止状態で、
・ＧＰＲＳ用に有効な割当時間を宣言、
・音声ＧＳＭトラフィックが一切ない状態、
という条件の下で行われる。
　すなわち、第４に、前記測定（１１）は、テスト用プラットフォーム（３）により、強いフィールド、そして静止状態と、ＧＰＲＳに有効な割当時間の宣言と、音声ＧＳＭトラフィックが一切ない状態という条件の下で行われることを特徴とする、上記第１から第３のいずれか一つに記載の方法。
【００１１】
　更にもう一つの様相により、前記アプリケーションの転送時間は各コンピューターで測定され、その転送時間は、ＧＰＲＳ割当時間と同時進行の転送の数との関連で、第一マトリックスと呼ばれる、転送速度のマトリックスを得るために、そのテスト用プラットフォームで取りまとめて処理される。
　すなわち、第５に、前記アプリケーションのローディング時間の測定は、各コンピューターで行われ、ＧＰＲＳ（３００）の割当時間（ＴＳ）と、同時進行のデータ転送（３１２）の数と関連して、第一マトリックスと呼ばれる転送結果のマトリックス（１００）を得るために、ローディング時間はそのテスト用プラットフォーム（３）で取りまとめて処理されることを特徴とする、上記第３または第４に記載の方法。
【００１２】
　もう一つの様相により、前記第一マトリックスのデータが前記サービス品質指標と比較され、第二マトリックスと呼ばれるマトリックスを一つ形成し、それにより、サービス品質が達成される好ましい場合と、達成されない好ましくない場合とが区別される。
　すなわち、第６に、前記第一マトリックス（１００）のデータが、前記サービス品質指標（５２）と比較され、第二マトリックス（４００）と呼ばれるマトリックスを形成し、それにより、サービスの品質が達成される好ましい場合と、それが達成されない好ましくない場合とが区別されることを特徴とする、上記第５に記載の方法。
【００１３】
　もう一つの様相により、トラフィックシュミレーションシステムは、一つのセル構成に対応するＧＰＲＳ性能の前記レベルを計算するために、同時に行われるＧＰＲＳ転送の数との関連で、第三マトリックスと呼ばれる、割当時間占有マトリックスを生成し、その第三マトリックスにおける各区分が時間の割合を示す。
　すなわち、第７に、トラフィックシュミレーションシステム（４）は、一つのセル構成（２０）に対応するＧＰＲＳ性能のレベルを計算するために、同時に行われるＧＰＲＳデータ転送（３１２）の数との関連で、第三マトリックス（５００）と呼ばれる、各区分が時間の割合を示す割当時間（ＴＳ）占有マトリックスを生成することを特徴とする、上記第６に記載の方法。
【００１４】
　更にもう一つの様相により、前記性能レベルは、サービス品質が達成される好ましい場合に対応する第三マトリックスの区分を合計して得られる性能レベルであるか、さもなければ、サービス品質が達成されない場合の補足的区分を合計して得られる性能不良レベルである。
　すなわち、第８に、前記ＧＰＲＳ性能レベルは、サービス品質が達成される好ましい場合に対応する第三マトリックス（５００）の区分を合計して得られる性能率であるか、さもなければ、サービス品質が達成されない場合の補足的区分を合計して得られる性能不良率（Ｓ）であることを特徴とする、上記第７に記載の方法。
【００１５】
　更にもう一つの特徴により、前記サービス品質指標は、所定のタイプのアプリケーションについての、セッションごとの平均速度の目標値であるか、または、所定の百分率の範囲内で最低転送速度を達成する際の基準により規定された百分位数による速度である。
　すなわち、第９に、前記サービス品質指標（５２）は、所定のタイプのアプリケーションについての、セッションごとの目標平均値であるか、または、所定の百分率の範囲内での最低値の基準により規定された百分位数による値であることを特徴とする、上記第１から上記第８のいずれか一つに記載の方法。
【００１６】
　更にもう一つの特徴により、ＧＰＲＳトラフィックのラッシュ・アワーにおける平均セッション速度の目標値は、前記ラッシュ・アワーを外れた時間の目標値を百分率で表したものである。
　すなわち、第１０に、ＧＰＲＳトラフィックのラッシュ・アワーにおける平均セッション値の目標値は、そのトラフィックのラッシュ・アワーを外れた時間の目標値を百分率で表したものであることを特徴とする、上記第９に記載の方法。
【００１７】
　本発明の更にもう一つの様相は、先行技術に見られた一つまたは複数の不都合を、ＧＰＲＳトラフィックとＧＰＲＳ＋音声ＧＳＭ混合トラフィックとに合致する無線インターフェイスを迅速かつ最適に基準化するためのトラフィックシュミレーションシステムを規定することにより、解決する方法を提供することにある。
【００１８】
　この目的を達成するのに用いるトラフィックシュミレーションシステムは、ＧＰＲＳトラフィックとＧＰＲＳ＋音声ＧＳＭ混合トラフィックのための無線インターフェイスを基準化することを目指した本発明の方法を適用するためのもので、可変数のＧＰＲＳに有効な割当時間について、テスト用プラットフォームかそれに類似のもので行われたＧＰＲＳ転送品質の測定結果を示すデータを保存する記憶手段と、少なくとも一つのサービス品質指標を保存する記憶手段と、少なくとも二つのセル構成を記憶する保存手段とＧＳＭトラフィック量とＧＰＲＳデータ転送とを記憶する保存手段とを有するものであり、その特徴は、そのトラフィックシュミレーションシステムは、このデータを、セッション生成手段とセル構成選択手段とを介して用いて、ＧＳＭ呼び出し着信とＧＰＲＳデータ転送とをシュミレーションし、それにより、選択されたセル構成について得られるレベルのＧＰＲＳ性能を計算手段を用いて計算することを特徴としている。
　すなわち、第１１に、ＧＰＲＳトラフィックとＧＰＲＳ＋音声ＧＳＭ混合トラフィックのための無線インターフェイスを基準化することを目指すものであり、可変数の、ＧＰＲＳ（３００）に有効な割当時間（ＴＳ）について、テスト用プラットフォーム（３）かそれに類似のもので行われたＧＰＲＳ転送品質の測定結果（１１）を示す記憶されたデータを保存する記憶手段と、少なくとも一つのサービス品質指標（５２）を保存する記憶手段（４１）と、少なくとも二つのセル構成（２０）を保存する記憶手段（４１）とＧＳＭトラフィックとＧＰＲＳ転送量（５１）とを保存する記憶手段（４１）とを有するものであり、そのトラフィックシュミレーションシステム（４）が、このデータを、セッション生成手段（４３）とセル構成（２０）の選択手段（４４）とを介して用いて、ＧＳＭ呼び出し着信とＧＰＲＳデータ転送とをシュミレーションし、それにより、選択されたセル構成（２０）に得られるレベルのＧＰＲＳ性能のレベルを計算手段（４５）を用いて計算することを特徴とする、上記第１から１０のいずれかに記載の方法を用いたトラフィックシュミレーションシステム（４）。
【００１９】
　本発明のもう一つの様相により、前記計算手段は、選択されたセルについてＧＰＲＳデータ転送用に有効な割当時間の数と同時に行われるＧＰＲＳデータ転送の数とによって規定される状態に応じて、時間の百分率を決定する手段を含む。
　すなわち、第１２に、前記計算手段（４５）が、選択されたセル構成（２０）について、ＧＰＲＳデータ転送（３００）に有効な割当時間（ＴＳ）の数と同時に行われるＧＰＲＳデータ転送（３１２）の数とによって規定される状態に応じて、時間の百分率を決定する手段を含むことを特徴とする、上記第１１に記載のトラフィックシュミレーションシステム。
【００２０】
　本発明のもう一つの様相により、前記の記憶されたデータは、テスト用プラットフォームで行われるＧＰＲＳ転送品質測定を表すものであり、分析手段は、該データを計算に入れて、前記サービス品質指標に合致しない前記状態の時間的割合を識別し選択する。
　すなわち、第１３に、前記の記憶されたデータが、前記テスト用プラットフォーム（３）で行われたＧＰＲＳ転送品質の測定（１１）を表すものであり、分析手段（４６）は、該データを計算に入れて前記サービス品質指標（５２）に合致しない前記状態の時間的割合を識別し、選択することを特徴とする、上記第１２に記載のトラフィックシュミレーションシステム。
【発明の効果】
【００２１】
　本発明は、一定のセル構成について、また、販売部門が指定したサービス品質の通りに、ＧＰＲＳアプリケーションにとっておくべきチャンネルの数を決定することができる。
　また、本発明によれば、テスト用プラットホームで試験を行うことで、通信網の修正結果の評価を容易に行うことができ、無線資源管理を改善できる。
　そして、本発明により、例えば、様々な無線資源についての携帯電話の通信容量が増加しても、それに対処して、無線資源の基準化を非常に容易に行うことができる。
【発明を実施するための最良の形態】
【００２２】
　本発明は、添付図面を参照しつつ説明を読むことにより、その特徴と利点とを含めて、より明らかになるものであるが、以下の説明は例示的なものであり、その説明によって発明を限定する趣旨のものではない。
・図１は、本発明による基準化方法のフローチャートを示す。
・図２は、本発明の方法を用いた場合のプラットホームに基づき、業務用プラットホームとマトリックス形式で示した結果の一例の概略図である。
・図３は、セル無線資源の構成の見本を示したものである。
・図４は、そのセルを様々に異なった状態で操作した場合に応じてサービス品質が達成されているかどうかを示す、いわゆる品質マトリックス式と呼ばれるものの一例の概略図である。
・図５は、本発明のシュミレーション方式を具体化したものと、この方式で得られた結果をマトリックス形式で表したものの一例の概略図である。
・図６は、本発明のシュミレーション方式で得られた結果の動作曲線を表すグラフである。
【００２３】
　ここでまず、図１と２との関連で、本発明を説明する。
【００２４】
　図１が示すのは、本発明の方法を具体化したものの変形例であり、ＧＰＲＳトラフィックの大きさを決めるものである。
　図２に示されているように、移動無線電話通信網の、少なくとも一つのセルの、一つのセル・モデル３０を含むテスト用プラットホーム３で幾つかの試験が行えるように予め準備をし、ＧＰＲＳデータ転送の品質指標が得られるようにする必要がある。
　試験計画１０を作成するプログラムは、セル・モデル３０と呼ばれる考慮の対象となったセルでロードを行う時間や待ち時間についての性能を示す測定を行うものである。
　前記試験計画１０は、例えば、ある同一のアプリケーションについて行われるものであり、ホームページを、インターネットや、それに似たものでロードする時間の測定を、同時に行われる可変数のセッションとＧＰＲＳトラフィックに有効な割当時間と関連して行うものであってもよい。
　テスト用プラットホーム３のオペレータは、テスト用プラットホーム３とオペレータ間の表示可能なメニューやインターフェイスから、試験計画１０の測定対象のパラメータや特性を選択することができる。
【００２５】
　セル構成は、選択された試験計画１０のために定められたものではない。
　図２に示されているように、セル・モデル３０は、例えばトランシーバーを二台（ＴＲＸ１，ＴＲＸ２）を備えた基地局（ＢＴＳ）を有していてもよい。
　この基地局（ＢＴＳ）は、無線資源を管理する基地局制御器（ＢＳＣ）と移動通信器３１の間にインターフェイスを形成する。
【００２６】
　プラットホームでの一連の測定作業１１を行う基礎となる前記試験計画１０は、試験対象の幾つかの条件を定めるものである。
　例えば、無線の電波に対して反応性の強いフィールドにおいて、移動通信器が静止状態でＧＰＲＳに有効な割当時間（ＴＳ）を宣言し、加えて、セル・モデル３０におけるＧＳＭ音声回線上に一切のトラフィックのない状態で、測定が行われる。
　移動通信器３１は、全てＣＳ−２型コード構成に調整可能である。
　テスト用プラットホーム３のネットワークのセル・モデル３０を用いたコンピューターが、同一のアプリケーションのローディングを同時に開始し、前記アプリケーションを各コンピューターに転送する時間の測定が信頼のおける状態で行えるようにし、その上で平均転送時間が得られるようにする。
　測定は、関連性のある平均結果を得るため、例えば４０回前後のような試験計画で規定された回数を繰り返し行ってもよい。
　構成の仕方によっては、特に、測定結果１２が収束していくような場合、繰り返しの回数を減らしてもよい。
　セル・モデル３０における同時ＧＰＲＳデータ転送の回数を変化させ、ＧＰＲＳ転送に有効な割当時間（ＴＳ）の数の増加に応じて測定を繰り返し、テスト用プラットホーム３で測定１１を行うことによってセル構成の分析が可能となる。
　測定結果１２の収集と使用は、図２で示されるようにテスト用プラットホーム３を介して行われた試験を要約するマトリックス１００を生成することを可能にする。
　このマトリックス１００の内容となる結果は、一つのセルの内部でのサービス品質を表し、それは、ＧＰＲＳ割当時間（ＴＳ）及び同時に行われるデータ転送の数との関連で表される。
　これらの結果が、このマトリックス１００で得られる際は、例えば平均転送速度という形で得られる。
【００２７】
　図２に示される、本発明の一つの実施態様においては、テスト用プラットホーム３の中にあるインターフェイス及びデータ処理管理器３２により、所定の試験計画１０について行った測定結果１２を入手し使用することが可能になる。
　このインターフェイス及びデータ処理管理器３２を構成するのは、記憶メモリー・ソフトウエア３２２で制御する中央処理装置３２１と、状態データまたはセル・モデル３０の構成のメモリー３２４と、転送３１１に要する時間を記録し、または試験計画１０の実行中に行われる測定を表すデータを記録するメモリー３２３とである。
　前記データ処理管理器３２には、セル・モデル３０の構成との関連、つまり、ＧＰＲＳに有効な割当時間（ＴＳ）３００と同時に行われる転送の回数３１２との関連で得られた平均転送値を計算する手段が含まれている。
【００２８】
　満足のいくサービス品質を確保するため、販売する上での仕様との関連もあって、テスト用プラットホーム３のオペレータが規定するセッション当たりの転送速度の閾値は最低でも、例えば毎秒１４ｋビットとしてよい。
　この種の閾値が表すのは、通信網サービス品質の目標値である。
　規定してよい閾値には幾つかあるが、例を挙げると、ＧＰＲＳのラッシュ・アワーについての第一の転送速度と、その通信網のラッシュ・アワーを外れた時間の第二の転送値などである。
　本発明の一つの実施態様において、ラッシュ・アワーでのセッション当たりの値の目標値は、ラッシュ・アワーを外れた時間の値の百分率で表される。
【００２９】
　テスト用プラットホーム３で行ったテストの結果として得られた転送結果のマトリックス１００から得られる情報は、品質パラメータに関するものであり、それを考慮に入れなければならないのは、例えば、所定の満足のいく転送速度を達成するのに必要な割当時間（ＴＳ）の数のような、移動無線電話通信網の一つのセルの内部でＧＰＲＳデータ転送用無線インターフェイスの基準化を行うような場合である。
　本発明の基準化方法は、以上に述べたパラメータと販売上の仕様と関連して、所定のセル構成についてのＧＰＲＳトラフィックと音声ＧＳＭトラフィックのシュミレーション２１からなる。
【００３０】
　本発明を、図１、３、４及び５を参照しつつ以下に説明する。
【００３１】
　ＧＰＲＳトラフィックとＧＳＭ音声トラフィック回線のシュミレーションを行う際に用いるトラフィックシュミレーションシステム４には、様々なセル構成と、テスト用プラットフォーム３で行われたＧＰＲＳデータ転送３１１の質の測定結果とを示すデータが記憶される。
　従って、データ転送結果のマトリックス１００をトラフィックシュミレーションシステム４の記憶手段４１に保存することができる。
　例えばラッシュ・アワーの際の、サービスごとの、その地域、あるいは全国的なトラフィック量５１に関するデータもトラフィックシュミレーションシステム４の記憶手段４１に保存される。
　本発明の一つの実施態様においては、特にセッションのサイズに関して規定されたアプリケーションごとのセッションの型と販売部門がダウンロードしたページ数とをインターフェイスを介して追加することができ、前記記憶手段４１に保存することもできるようになっている。
　実施態様の一つの変形例においては、販売部門が定めたラッシュ・アワーでの平均転送速度の目標値のようなサービス品質指標５２のある性質を、もう一つのパラメータとしてトラフィックシュミレーションシステム４の記憶手段４１に追加入力することができるようになっている。
　前記サービス品質指標５２は、また、百分位数の値であってもよく、その百分位数の値を定める基準は、その基準に基づき例えば９０％の場合というように所定の百分率の範囲内で転送速度の最小値が達成されるというような基準である。
　この段階において可能となるのは、トラフィックシュミレーションシステム４の分析プログラムを介して転送結果のマトリックス１００を分析すること、および、販売上の仕様を満たさない条件を特定することである。
　図４に示される第二マトリックス４００は、品質マトリックスと呼ばれるものであり、前記分析プログラム４２から得られる結果の見本を示すものであり、その分析プログラム４２を使えば、サービス品質が達成される好ましいケースとそれが達成されない好ましくないケースとの間の区別を行うことができる。
　図に従い説明すると、図４の第二マトリックス４００は、目標とするサービス品質を達成するために、二つのデータ転送が同時に行われる場合、ＧＰＲＳに有効な割当時間（ＴＳ）が、例えば少なくとも四つ必要であることを示すものである。
【００３２】
　図５に示されているように、本発明のトラフィックシュミレーションシステム４には、セッション生成手段４３とセル構成選択手段４４を含む。
　無線インターフェイスの基準化を最適な状態で行い、ＧＰＲＳに一定の数の割当時間（ＴＳ）を与えるシュミレーションの開始前に、前記選択手段４４を用いて、一種の通信網セル構成２０を選択する。
　図３は、トランシーバーを二台（ＴＲＸ１，ＴＲＸ２）有する基地局をもつセル構成２０の一例を概略的に示すものである。
　図３の例においては、無線資源は、一つの共有制御チャンネル（ＣＣＣＨ）、音声ＧＳＭ専用の割当時間（ＴＳ）の九つのチャンネル３０１、ＧＰＲＳ専用の割当時間（ＴＳ）の一つのチャンネル３０２、そしてＧＳＭ回線とＧＰＲＳとで共有する割当時間（ＴＳ）の五つのチャンネル３０３に分けられる。
【００３３】
　一旦、セル構成２０が選択されると、トラフィックシュミレーションシステム４は、ＧＳＭ回線呼び出しの着信とＧＰＲＳ転送を要請する前記セッション生成手段４３を介してシュミレーション２１を、記憶手段４１に保存されたデータを用いて行う。
　従って、トラフィックシュミレーションシステム４はあるトラフィックを模擬的に示すのであり、そして、テスト用プラットホーム３で前もって記録され、前記トラフィックシュミレーションシステム４に転送３１１された測定結果を介して、前記の選択されたセル構成について：
・ＧＳＭ回線呼び出しによって占められる割当時間ＴＳの数、
・同時に行われるＧＰＲＳデータ転送の数、
・ＧＰＲＳ転送に有効な空いている割当時間（ＴＳ）の数、
の評価を行う。
【００３４】
　トラフィックのシュミレーション２１の終わりに、前記トラフィックシュミレーションシステム４は、計算手段４５を介して、無線資源の占有率２２を計算する。
　ＧＰＲＳに有効な割当時間（ＴＳ）の数と同時に行われるＧＰＲＳデータ転送の数との関連で確証された無線資源を占有する時間の割合は全て、図５に示されるように第三マトリックス５００の形でまとめてよい。
　分析プログラム４２により、前記サービス品質指標の品質を満たさない状態の時間的割合を識別し選択することが可能になる。
　これらの割合についての結果に基づき、また、分析プログラム４２により行われた選択を考慮に入れ、トラフィックシュミレーションシステム４の計算手段４５によりサービス品質指標の目標値に関して好ましくないケースに対応する全ての占有率を合計する。
　例えば、図４の第二マトリックス４００で示されるように、一回または複数回のデータ転送についてＧＰＲＳに用いることが可能な割当時間（ＴＳ）に対応する全ての場合に期待通りのサービス品質が要求されるわけではない。
　望ましくない場合に対応する百分率の合計Ｓの計算２３の後、トラフィックシュミレーションシステム４の記憶手段４１に入力されるパラメータをもつ性能不良状態５３のレベルＴとが比較２４される。
　合計Ｓが性能不良レベルＴを下回る状態のままである場合、セル構成は質的な性能を発揮しているものと見なされる。
　本発明の一つの実施態様においては、この性能不良レベルＴは１６％を下回るものであり、例えば５％と１０％との間を変化するものである。
　別の異なる変形例においては、品質が達成されており、つまりは、少なくとも前記品質指標のレベルに達するデータ転送条件が可能になっている場合に対応するパーセンテージの合計を、計算手段４５によって求めてもよい。
　この変形例においては、品質の目標値が達成されるように、その合計は１００−Ｔ％の性能レベルを上回るものでなければならない。
　選択された変形例がどのようなものであっても、選択したセル構成２０用に設定した品質を表すＧＰＲＳ性能のレベルの達成がトラフィックシュミレーションシステム４により可能となる。
【００３５】
　従って、本発明の方法においては、テスト用プラットホーム３で行われた単位測定１１と組み合わせられたトラフィックシュミレーションシステム４を用いて、セッション生成を行うことにより、パラメータとして入力されたトラフィック５１と任意のセル構成２０とに対応して決定されるサービス品質が実現可能となる。
【００３６】
　前記比較２４の結果との関連で、選択されたセル構成２０の変更が、セル構成プログラム４６によって、ＧＰＲＳトラフィック用に有効な少なくとも一つの新しい割当時間（ＴＳ）あるいはトランシーバーＴＲＸの追加／削減によって行われる。
　二分法により、トラフィックシュミレーションシステム４は、決定する前記性能レベルが所定の品質閾値を達成できるような最小限の構成を、決定することになる。
　図１に示される実施態様においては、百分率の合計Ｓが性能不良レベルＴを上回る場合は、ＧＰＲＳに有効な割当時間（ＴＳ）を、前記構成プログラム４６により追加２４１する。
　この目的のために可能な選択肢は幾つかある。
　図３に示される例では、二つのトランシーバー（ＴＲＸ１，ＴＲＸ２）により６個のＧＰＲＳに有効な割当時間（ＴＳ）ができており、そのうちの５個は共用のもので、一つの共用される割当時間３０３をＧＲＲＳ専用の割当時間（ＴＳ）３０２に変換してもよい。
　音声ＧＳＭ専用の割当時間（ＴＳ）３０１も共用割当時間３０３に変換してもよい。
　ＧＰＲＳ品質を改善すると言っても、それが音声ＧＳＭを損なう形で達成してはならないため、ＧＰＲＳ用の割当時間（ＴＳ）の追加は、更にもう一つのトランシーバー（ＴＲＸ）を追加することで行ってもよい。
　このような追加２４１を行った上で、それに続く変更ずみセル構成２０を選択してトラフィックシュミレーションシステム４が生成したプロセスを反復する。
　何故なら、目標とする品質が達成されない限り、セル構成２０の変更はＧＰＲＳに割り当てられる無線資源を増やすという形で行われるためである。
　サービス品質指標５２の品質と性能不良状態５３のレベルＴは、パラメータ化が可能であり、それらにより、取扱い対象となる基準化のケースに応じて、サービス品質ＱｏＳの品質目標値を規定することが可能となる。
【００３７】
　更に図１に示された実施態様について述べると、百分率の合計Ｓが性能不良状態のレベルＴを下回る場合、ＧＰＲＳに割当てられた無線資源を、セル構成プログラム４６を介して削減２４２する。
　従って、本発明の方法においては、二分法による任意のトラフィック５１の、任意のセルの無線インターフェイスの基準化を達成することが可能である。
【００３８】
　本発明の変形例の一つにおいては、セル構成について行われるタイプの変更は、オペレータがトラフィックシュミレーションシステム４の（図示されていない）入力インターフェイスを介して行ってよい。
【００３９】
　本発明の実施態様の一つにおいては、トラフィックシュミレーションシステム４の記憶手段４１にパラメータとして入力されるトラフィック量を表現する形式は、資源占有率、及びＷＷＷのメガオクテットであったり、あるいはウェブ、電子メール、ＦＴＰセッション、または他の何らかのトラフィック・モデルであったりする。
　ＧＳＭ回線用のトラフィック量は、例えば回線抑制率２％で標準トランシーバー（ＴＲＸ）で取り扱うトラフィックの最大値に対応するものであってよい。
【００４０】
　抑制率は他の値に調節してもよいことは言うまでもない。
　ＧＰＲＳ転送に対応するパケット・トラフィックは、パラメータ化されたトラフィック量５１の形で計算に入れるのであり、販売部門が公式化するトラフィック予想から導き出されるものである。
　このパケット・トラフィックは、ＧＳＭ回線トラフィックに比例配分で分配される。
【００４１】
　一つの変形実施態様においては、ＧＰＲＳに関連するトラフィックの最も混雑する時間は、ＧＳＭ回線に関連するトラフィックが最も混雑する時間に対応する。
　同時に行われるセッションの数との関連で、ＧＰＲＳのために空いている割当時間（ＴＳ）のマトリックス５００は、回線／パケット量５１の二つ一組のそれぞれに、トラフィックシュミレーションシステム４の計算手段４５によって生成されるものである。
　従って、このマトリックス５００の第二の部門（Ｙ％）は、図５に示されているように、ＧＰＲＳセッションが一つ行われており、空いている割当時間（ＴＳ）がない場合に、トラフィックが最も混雑する時間の時間的割合を示すものである。
【００４２】
　本発明の方法で得られた結果を、図６に示されるＧＳＭトラフィックとの関連で、ＧＰＲＳ無品質状態のレベルとも呼ばれる、性能不良状態のレベルＴの曲線６を、構成が固定されたセルについてプロットすることにより、用いることが可能である。
　曲線６によって、標準トランシーバー（ＴＲＸ）をもう一つ追加することを必要とする通信網セルの数の定量化が可能になる。
【００４３】
　本発明の利点の一つは、通信網基盤施設の構築者の割当時間配分アルゴリズムを圧倒するほどの使いやすさがあるということである。
　本発明の基準化方法は、二つの手順で実行されるものであり、どのような変更を加えるべきかを決定するについては、次の単純な手順である。
　テスト用プラットホームで品質試験ができるように準備し、次にシュミレーション段階で、セル構成の企画を決定するという手順。
　品質結果は、マトリックス５００の形で速やかに得られるのであり、これらの結果により、移動通信器無線電話通信網の範囲内でユーザーが得るサービス品質を変えるということに関連して、定期的に見直すことができる。
　テスト用プラットホーム３で試験を行うことで、通信網の修正結果の評価を容易に行うことができる。
【００４４】
　本発明の他の利点は、あらゆるアルゴリズムの容易な試験、あるいは標準に適用された操作機能、あるいは設備者、またはネットワークにおける前記操作機能の影響の計算を可能にする点である。
【００４５】
　本発明のもう一つの利点は、無線資源管理が改善されているということである。
　ＧＰＲＳトラフィックに配分された無線資源は、このトラフィックが低い場合、高くついてしまう。
【００４６】
　敷設費用が高額な無線資源を、本発明の基準化方法を用いることにより、よりよく活用することができる。
　この方法によって得られる結果は、例えば、無線資源の利用率が低い場合は常にユーザーにかかる業務費用を削減することにより、業務提供の管理の改善に用いることもできる。
【００４７】
　本発明は、通信網に影響を与える様々な変化にセル構成２０を最適な状態で適合させることにより、サービス品質を更に高めてほしいという要望に答えることを目指している。
　本発明により、例えば、様々な無線資源についての携帯電話の通信容量がどのような増加しても、それに対処して、無線資源の基準化を非常に容易に行うことができる。
　状況によって必要となれば、シュミレーションパラメータの変更も迅速に行える。
　本発明により、幾つかの解決策のシュミレーションも行える可能性が得られる。
【００４８】
　当業者にとっては言うまでもないが、特許請求の範囲に述べられた本発明の応用範囲を外れない限りは、本発明の実施形態には他にも数多くのものがあり得る。
【００４９】
　従って、上記に説明した実施態様は、図示された通りのものと考えられるべきであるが、特許請求の範囲に規定された範囲内で変更可能であり、本発明は、上記説明で述べられた細部に限定されるべきものではない。
【図面の簡単な説明】
【００５０】
【図１】本発明による基準化方法のフローチャートを示す。
【図２】本発明の方法を用いた場合のプラットホームに基づき、業務用プラットホームとマトリックス形式で示した結果の一例の概略図である。
【図３】セル無線資源の構成の見本を示したものである。
【図４】品質マトリックス式と呼ばれるものの一例の概略図である。
【図５】本発明のシュミレーション方式を具体化したものと、この方式で得られた結果をマトリックス形式で表したものの一例の概略図である。
【図６】本発明のシュミレーション方式で得られた結果の動作曲線を表すグラフである。
【符号の説明】
【００５１】
　３　テスト用プラットフォーム
　４　トラフィックシュミレーションシステム
１０　試験計画
１１　測定
１２　測定結果
２０　セル構成
２１　シュミレーション
２２　無線資源の占有率
２３　合計Ｓの計算
２４　比較
３０　セル・モデル
３１　移動通信器
３２　データ処理管理器
４１　記憶手段
４２　分析プログラム
４３　セッション生成手段
４４　セル構成選択手段
４５　計算手段
４６　分析手段
４６　セル構成プログラム
５１　トラフィック量
５２　サービス品質指標
５３　性能不良状態
【図１】
2004120752.tif 000003
【図２】
2004120752.tif 000004
【図３】
2004120752.tif 000005
【図４】
2004120752.tif 000006
【図５】
2004120752.tif 000007
【図６】
2004120752.tif 000008